(57)【要約】  打撃装置は、打撃ピストンと、打撃ピストンの打撃ストロークを可変にするように構成された操縦装置を含み、操縦装置は、操縦シリンダと、変位方向に応じて操縦シリンダ内で並進移動可能に取り付けられかつ操縦シリンダ内で回転移動可能に取り付けられた操縦スライドと、操縦スライド及び操縦シリンダによって区切られた主操縦チャンバとから構成される。打撃装置は、打撃ピストンの打撃ストロークの変動範囲を設定するように構成された設定装置を有し、設定装置は、操縦シリンダ内に操縦スライドの角度位置を設定するように構成された設定部材と、操縦スライド上に形成されかつ操縦スライドが占める角度位置に応じた変位方向に従って操縦スライドの並進変位ストロークを液圧的に制限するように構成された少なくとも１つの流体連通通路とを備える。【選択図】図８
2021513465.tif 000002
【特許請求の範囲】
【請求項１】
打撃装置（２）の打撃ピストン（５）の打撃ストロークを設定する設定方法であって、
打撃装置の本体（３）の内部で往復運動可能でありかつ打撃装置の動作サイクル毎に工具（６）に打撃を与えるように構成された打撃ピストン（５）と、前記工具が遭遇する地面の硬度に応じて前記打撃ピストン（５）の打撃ストロークを自動的に変化させるように構成された操縦装置（１５）であって、操縦シリンダ（１７）と、変位方向（Ｄ）に応じて操縦シリンダ内で並進移動可能に取り付けられかつ該変位方向（Ｄ）に応じて互いにずれた複数の操縦位置を占めるように構成された操縦スライド（１６）と、前記操縦スライド（１６）と前記操縦シリンダ（１７）とで画定された主操縦チャンバ（２６）とを備える打撃装置（２）を提供する提供ステップと、
前記打撃ピストン（５）の打撃ストロークの変動範囲を設定する設定ステップと、を含み、
前記設定ステップは、
前記操縦スライド（１６）の前記操縦シリンダ（１７）に対する角度位置の設定するステップと、
前記操縦スライド（１６）が該操縦スライド（１６）の設定角度位置に依存する連通位置に達したときに、低圧リターン回路（１３）と連通する主操縦チャンバ（２６）を設定することにより、変位方向（Ｄ）に応じた操縦スライド（１６）の並進変位ストロークの油圧制限を行うステップと、を含む設定方法。
【請求項２】
前記提供ステップにおいて提供された前記打撃装置に属する前記操縦装置（１５）は、前記低圧リターン回路（１３）に恒久的に接続されかつ前記操縦シリンダ（１７）に開口する接続チャネル（３６）を含み、
さらに前記提供ステップにおいて提供された前記打撃装置（２）は、前記操縦スライド（１６）に形成される少なくとも１つの流体連通通路（４４，４４．１，４４．２，４４．３）を更に含み、
前記操縦スライド（１６）が該操縦スライド（１６）の設定角度位置に依存する連通位置に到達したときに、前記少なくとも１つの流体連通通路（４４，４４．１，４４．２，４４．３）を介して前記低圧リターン回路（１３）と連通する前記主操縦チャンバ（２６）を設定する制限ステップを更に有する、請求項１に記載の設定方法。
【請求項３】
前記提供ステップで提供される前記打撃装置に属する前記操縦装置（１５）は、前記操縦シリンダ（１７）にそれぞれ開口しかつ前記打撃ピストン（５）の往復運動の少なくとも一部にわたって高圧流体供給回路（１２）と連通して設定された複数の操縦チャネル（１８．１，１８．２，１８．３）と、前記操縦シリンダ（１７）に開口しかつ前記打撃ピストン（５）の往復運動を制御するように構成された制御チャネル（１９）とをさらに含み、
前記操縦スライド（１６）は、前記操縦スライド（１６）によって占有される前記操縦位置の少なくとも一部において、前記制御チャネル（１９）を前記操縦チャネル（１８．１，１８．２，１８．３）の少なくとも１つと流体的に接続するように構成されている、請求項１または２に記載の設定方法。
【請求項４】
打撃装置（２）であって、
ピストンシリンダ（４）を区切る本体（３）と、
前記ピストンシリンダ（４）の内部を往復運動可能に移動可能に取り付けられかつ打撃装置の各動作サイクル中に工具（６）に当たるように構成された打撃ピストン（５）と、
前記工具が遭遇する地面の硬さに応じて前記打撃ピストン（５）の打撃ストロークを変化させるように構成された操縦装置（１５）と、を備え、
前記操縦装置（１５）は、
操縦シリンダ（１７）と、
前記操縦シリンダ（１７）内を変位方向に応じて移動可能に取り付けられ、変位方向に応じて互いにずれた複数の操縦位置（Ｄ）を占有するように構成された操縦スライド（１６）と、
前記操縦スライド（１６）と前記操縦シリンダとで区切られた主操縦チャンバ（２６）と、
を有し、
前記操縦スライド（１６）は、前記操縦シリンダ（１７）内を回転移動可能に取り付けられかつ互いにずれた複数の異なる角度位置を占めるように構成され、
前記操縦装置（１５）は、低圧リターン回路（１３）に恒久的に接続されかつ操縦シリンダ（１７）内に開口する接続チャネル（３６）を有し、
前記打撃ピストンの打撃ストロークの変動範囲を設定するように構成される設定装置を更に備え、
前記設定装置は、
前記操縦シリンダ（１７）内における前記操縦スライド（１６）の角度位置を設定するように構成された設定部材（４１）と、
前記操縦スライド（１６）上に形成されかつ前記操縦スライド（１６）によって占有される角度位置に応じた変位方向（Ｄ）に従って操縦スライド（１６）の並進変位ストロークを液圧的に制限するように構成された少なくとも１つの流体連通通路（４４，４４．１，４４．２，４４．３）と、
を有し、
前記操縦スライド（１６）は、変位方向（Ｄ）に応じて互いにずれかつ該操縦スライド（１６）によって占有される角度位置に関連する連通位置に位置する複数の連通位置を占有するように構成され、
前記少なくとも１つの流体連通通路（４４，４４．１，４４．２，４４．３）は、前記操縦スライド（１６）が該操縦スライド（１６）により占有されるする角度位置に関連する連通位置に位置するときに、前記主操縦チャンバ（２６）を接続チャネル（３６）と流体連通するように構成されている打撃装置（２）。
【請求項５】
前記設定部材（４１）は、
ユーザにより回転駆動される設定部（４１．１）と、
前記操縦スライド（１６）に回転固定され、ユーザが前記設定部（４１．１）を回転駆動するときに、前記操縦スライド（１６）を前記操縦シリンダ（１７）内で回転駆動するように構成された駆動部（４１．２）と、
を有し、
前記駆動部（４１．２）は、前記設定部材（４１）に対して前記操縦スライド（１６）の並進変位を可能とするように構成されている、請求項４に記載の打撃装置（２）。
【請求項６】
前記操縦スライド（１６）は、前記操縦スライド（１６）の端面に開口する軸方向取り付けボア（４２）を含み、
前記駆動部（４１．２）は、前記軸方向取り付けボア（４２）内に少なくとも部分的に受け入れられる、請求項５に記載の打撃装置（２）。
【請求項７】
前記設定装置は、
前記本体（３）または前記設定部材（４１）に対して固定された読み取り可能な領域に設けられた設定マーク（４６）であって、前記打撃ピストン（５）の打撃ストロークの変動範囲のそれぞれの値に対応する各設定マーク（４６）と、
前記設定マーク（４６）に関連付けられかつ前記設定部材（４１）または前記読み取り領域に設けられた読み取りマーク（４８）と、
を含む、請求項５または６に記載の打撃装置（２）。
【請求項８】
前記操縦装置（１５）は、前記ピストンシリンダ（４）内及び前記主操縦チャンバ（２６）内にそれぞれ開口する流体連通チャネル（３２）を備え、
前記流体連通チャネル（３２）は、前記打撃ピストン（５）が理論的打撃位置に入るとき及び／または近接するときに、前記打撃ピストン（５）上に設けられた周辺溝（３３）及び前記低圧リターン回路（１３）に恒久的に接続されたリターンチャネル（３４）を介して、前記低圧リターン回路（１３）と連通して、前記ピストンシリンダ（４）内に開口するように構成されている、請求項４〜７のいずれか１つに記載の打撃装置（２）。
【請求項９】
前記操縦装置（１５）は、前記打撃装置の各動作サイクルにおいて、前記流体連通チャネル（３２）への所定量の流体の吸入を確実にするように構成された流量調整部材（３５）を更に有する、請求項８に記載の打撃装置（２）。
【請求項１０】
前記操縦スライド（１６）は、前記主操縦チャンバ（２６）内に開口する内側ボア（４３）を含み、
前記設定装置は、
前記操縦スライド（１６）上に形成されかつそれぞれが前記内側ボア（４３）内に開口する第１の端部と、
前記操縦スライド（１６）の外面に開口するの第２の端部とを有する複数の流体連通通路（４４．１，４４．２，４４．３）を含み、
前記流体連通通路（４４．１，４４．２，４４．３）の第２の端部は、変位方向（Ｄ）に応じて互いにシフトするとともに、互いに角度的にシフトする、請求項４〜９のいずれか１つに記載の打撃装置（２）。
【請求項１１】
前記少なくとも１つの流体連通通路（４４）は、前記操縦スライド（１６）の外面に形成され、前記操縦スライドの延長軸の周りに螺旋状に延在する、請求項４〜９のいずれか１つに記載の打撃装置（２）。
【請求項１２】
前記操縦装置（１５）は、
前記操縦シリンダ（１７）に開口しかつ前記ピストンシリンダ（４）に開口しかつ前記打撃ピストン（５）の往復運動の少なくとも１つの部分にわたって高圧流体供給回路（１２）と連通するように設定されるように構成された複数の操縦チャネル（１８．１，１８．２，１８．３）と、
前記操縦シリンダ（１７）内に開口しかつ前記打撃ピストン（５）の往復運動を制御するように構成された制御チャネル（１９）と、
を更に含み、
前記操縦スライド（１６）は、制御チャネル（１９）を、該操縦スライド（１６）によって占有される少なくとも一部の操縦位置において、少なくとも１つの前記操縦チャネル（１８．１，１８．２，１８．３）と流体的に接続するように構成されている、請求項４〜１１のいずれか１つに記載の打撃装置（２）。
【請求項１３】
前記複数の操縦位置は、
前記打撃ピストン（５）の短ストロークに対応する第１の操縦位置と、
前記打撃ピストン（５）の長ストロークに対応する第２の操縦位置と、
前記第１及び第２の操縦位置の間に位置する複数の中間操縦位置と，
を含む、請求項４〜１２のいずれか１つに記載の打撃装置（２）。
【請求項１４】
前記操縦装置（１５）は、前記操縦スライド（１６）を前記第１の操縦位置に向かって付勢するように構成された付勢手段を含む、請求項１３に記載の打撃装置（２）。
【請求項１５】
前記付勢手段は、
前記操縦スライド（１６）と前記操縦シリンダ（１７）とによって画定され、前記主操縦チャンバ（２６）に対向する付勢チャンバ（２９）と、
高圧流体供給回路（１２）に恒久的に接続され、前記付勢チャンバ（２９）に開口する供給流路（３１）と、
を含む、請求項１４に記載の打撃装置（２）。
【発明の詳細な説明】
【技術分野】
【０００１】
本発明は、加圧された非圧縮性流体によって推進される打撃装置の打撃ピストンの打撃ストロークを設定する方法、及びその方法の実施のための打撃装置に関する。
【背景技術】
【０００２】
砕岩機のような加圧された非加圧流体によって推進される打撃装置は、流体が供給されて、打撃ピストンに連続的に加えられる液圧力により、打撃ピストンを一方向と他方向とに往復運動する様式で変位さる。
【０００３】
このタイプの装置では、異なる部分を有する少なくとも２つの対向する制御チャンバが形成されたピストンシリンダの内側で、打撃ピストンが往復運動するように変位される。２つの制御チャンバのうちの一方は、常に加圧された流体が供給されかつボトムチャンバとも呼ばれていて、打撃ピストンの立ち上がりを保証する。２つの制御チャンバのうちの他方はより大きな断面を有しかつトップチャンバ若しくはスラストチャンバとも呼ばれていて、打撃ピストンの打撃ストロークの間は加圧流体が交互に供給されて、打撃ピストンの立ち上がりストロークの間は装置の低圧リターン回路に接続される。
【０００４】
装置の所与のパワーが打撃周波数の値とストロークエネルギーで表されることが知られている。装置が均質な硬質地盤で作動するときには、打撃周波数ではなく、ストロークエネルギーが好まれる。
【０００５】
反対に、装置が軟弱地盤上で作動するときには、ストロークエネルギーを減少させ、結果的に打撃周波数を増加させることが有利である。
【０００６】
ストロークエネルギーは打撃ピストンに入力される運動エネルギーに対応し、打撃ピストンの打撃ストロークと供給圧力とに依存する。所与の硬さの地盤に適した打撃周波数及びストロークエネルギーを調整するために、例えば、本出願人の特許文献１及び特許文献２に記載されている多くの既知の解がある。
【０００７】
特許文献は、装置のシリンダ内における、打撃後の打撃ピストンの位置及び工具上での打撃ピストンの可能な跳ね返りに応じて流体が供給されるチャネルにより、打撃パラメータの自動調整を可能にする打撃装置を開示する。
【０００８】
特許文献２は、工具上の打撃ピストンの跳ね返りの効果に続く、上側チャンバ又は下側チャンバ内の圧力変化に応じて、これらの変化に敏感な液圧要素により、同じ結果を可能にする打撃装置を記載している。
【先行技術文献】
【特許文献】
【０００９】
【特許文献１】欧州特許第０２１４０６４号明細書
【特許文献２】欧州特許第０２５６９５５号明細書
【発明の概要】
【発明が解決しようとする課題】
【００１０】
これらの両方の特許文献において、地面の硬さを検出するシステムは、打撃ピストンの打撃ストロークに作用する分配器の２つ以上の制御チャネルを切り換えるスライドに作用する。したがって、打撃周波数及び打撃エネルギーは、解体される材料の硬さに自動的に依存する。しかしながら、材料の種類、使用条件、または装置の供給速度に応じて、これらのパラメータの自動変動の範囲を制御し続けることは、ユーザにとって興味深いといえる。パラメータ（打撃周波数、打撃エネルギー）の変動範囲を適応させるシステムは提供されておらず、ユーザは打撃装置に固有の変動範囲で作業する必要がある。
【００１１】
本発明の目的は、砕岩機のような打撃装置において、打撃エネルギーや打撃ピストンの打撃周波数のような打撃パラメータの自動変動の範囲の手動調整を可能にする方法及び装置を提供することである。
【課題を解決するための手段】
【００１２】
前記目的のために、本発明は打撃装置の打撃ピストンの打撃ストロークを設定するための設定方法であって
本体の内部で往復運動可能でありかつ作動サイクル毎に工具に打撃を与えるように構成された打撃ピストンと、前記工具が遭遇する地面の硬さに応じて打撃ピストンの打撃ストロークを自動的に変化させるように構成された操縦装置であって、前記操縦シリンダと、変位方向に応じて前記操縦シリンダの内部で並進移動可能に取り付けられ、変位方向に応じて互いにずれた複数の操縦位置を占めるように構成された操縦スライドと、前記操縦スライドと前記操縦シリンダとで画定された主操縦チャンバとを有する操縦装置と、を備える打撃装置を提供する提供ステップと、
打撃ピストンの打撃ストロークの変動範囲を設定する設定ステップと、を含み、
設定ステップは、
操縦スライドの操縦シリンダに対する角度位置の設定するステップと、
操縦スライドが該操縦スライドの設定角度位置に応じた連通位置に達したときに、低圧リターン回路と連通するように主操縦チャンバを設定することにより、変位方向に応じた操縦スライドの並進変位ストロークの油圧制限を行うステップと、を含む。
【００１３】
設定方法の１つの実施形態によれば、提供ステップにおいて提供された打撃装置に属する操縦装置は、低圧リターン回路に恒久的に接続されかつ操縦シリンダ内に開口する接続チャネルを含み、さらに提供ステップにおいて提供された打撃装置は、操縦スライド上に形成された少なくとも１つの流体連通通路を更に含み、操縦スライドが該操縦スライドの設定角度位置に依存する連通位置に達したときに、少なくとも１つの流体連通通路を介して低圧リターン回路と連絡する主操縦チャンバを設定する制限ステップを有する。
【００１４】
設定方法の１つの実施形態によれば、提供ステップにおいて提供された打撃装置に属する操縦装置は、操縦シリンダにそれぞれ開口しかつ打撃ピストンの往復運動の少なくとも１つの部分にわたって高圧流体供給回路と連通して設定された複数の操縦チャネルと、操縦シリンダに開口しかつ打撃ピストンの往復運動を制御するように構成された制御チャネル開口とを含み、操縦スライドは、該操縦スライドによって占有される少なくとも一部の操縦位置において、制御チャネルを操縦チャネルの少なくとも１つと流体的に接続するように構成されている。
【００１５】
本発明は更に、打撃装置を対象とし、
ピストンシリンダを区切る本体と、
ピストンシリンダの内側で往復運動可能に変位可能に取り付けられかつ各動作サイクル中に工具に当たるように構成された打撃ピストンと、
工具が遭遇する地面の硬度に応じて打撃ピストンの打撃ストロークを変化させる操縦装置とを備え、
前記操縦装置は、
操縦シリンダと、
操縦シリンダ内を変位方向に応じて並進移動可能に取り付けられ、変位方向に応じて互いにずれた複数の操縦位置を占有するように構成された操縦スライドと、
操縦スライドと操縦シリンダとで画定された主操縦チャンバと、を備え、
操縦スライドは、操縦シリンダの内部に回転移動可能に取り付けられかつ互いにずれた複数の異なる角度位置を占めるように構成され、操縦装置は、低圧リターン回路に恒久的に接続されかつ操縦シリンダ内に開口する接続チャネルを有し、打撃ピストンの打撃ストロークの変動範囲を設定するように構成された設定装置を更に備え、
設定装置は、
操縦シリンダ内における操縦スライドの角度位置を設定するように構成された設定部材と、
操縦スライド上に形成されかつ操縦スライドにより占有される角度位置に応じた変位方向に従って前記操縦スライドの並進変位ストロークを液圧的に制限するように構成された少なくとも１つの流体連通通路と、を有し、操縦スライドは、変位方向に応じて互いにずれかつ該操縦スライドのそれぞれの角度位置に関連する複数の連通位置を占有するように構成され、少なくとも１つの流体連通通路は、操縦スライドが該操縦スライドにより占有される角度位置に関連する連通位置に位置するときに、主操縦チャンバと連結チャネルとを流体的に接続するように構成されている。
【００１６】
この構成により、設定部材を用いた操縦スライドの角度位置の簡単な設定を通して、作業者は、打撃ピストンの打撃ストロークの変動範囲を選択することができる。これにより、打撃周波数及び打撃ピストンの打撃エネルギーを手動で調整することができる。この構成により、作業者は、打撃ピストンの打撃ストロークの自動操縦を作動させることにより、打撃装置の作動を最適化することができる一方で、打撃ストロークの変動範囲を予め設定された値に制限または増加させる。
【００１７】
打撃装置はさらに、別個に、または組み合わせて考慮される、以下の特徴のうちの１つ以上を有してもよい
本発明の一実施形態によれば、操縦スライドは、第１の端面と、第１の端面に対向する第２の端面とを含む。
【００１８】
本発明の一実施形態によれば、操縦スライドの第１の端面は、操縦シリンダの底壁に対向して位置し、主操縦チャンバを部分的に区画する。
【００１９】
本発明の一実施形態によれば、少なくとも１つの流体連通通路は、操縦スライドの第１の端面が操縦シリンダの底壁から所定の変位距離に位置するときに、主操縦チャンバと接続チャネルとを流体的に接続するように構成され、所定の変位距離の値は、操縦スライドが占める角度位置に応じて変化する。
【００２０】
本発明の一実施の形態によれば、設定部材は、ユーザによって回転駆動される設定部と、該設定部がユーザによって回転駆動されるときに、操縦スライドに回転固定されかつ操縦スライドを前記操縦シリンダ内で回転駆動するように構成された駆動部とを有し、駆動部は、設定部材に対して前記操縦スライドの並進変位を可能にするように構成されている。
【００２１】
本発明の一実施形態によれば、駆動部は、操縦スライドを操縦スライドの縦軸の周りに回転駆動するように構成される。
【００２２】
本発明の一実施形態によれば、設定部は、操縦スライドの縦軸と実質的に一致する回転軸を中心にユーザによって回転駆動されるようになっている。
【００２３】
本発明の一実施形態によれば、操縦スライドは操縦スライドの端面内に軸方向取り付け穴開口を含み、駆動部は、軸方向取り付けボア内に少なくとも部分的に受け入れられている。
【００２４】
本発明の一実施形態によれば、軸方向取り付けボアは、操縦スライドの第２の端面に開口する。
【００２５】
本発明の一実施形態によれば、軸方向取り付けボアは非円形断面を有し、駆動部は、軸方向取り付けボアの断面と一致する断面を有する。
【００２６】
本発明の一実施形態によれば、駆動部は、例えば、平坦部分を有することができる。
【００２７】
本発明の一実施形態によれば、設定部は、打撃装置の外側からアクセス可能である。
【００２８】
本発明の一実施形態によれば、設定装置は、本体または設定部材に対して固定された読み取り可能な領域に設けられた設定マークであって、打撃ピストンの打撃ストロークの変動範囲のそれぞれの値に対応する設定マークと、設定マークに関連付けられかつ設定部材または読み取り領域に設けられた読み取りマークとを含む。
【００２９】
本発明の一実施形態によれば、設定マークは、設定部材の設定部の周りに分配される。
【００３０】
本発明の一実施形態によれば、読み取り領域は、設定部材を本体上に保持するように構成された保持要素などの、本体上に、または本体に取り付けられた部分上に設けられている。例えば、保持要素は、本体に設けられた内側ねじ山と協働するように構成された外側タッピングと、設定部へのアクセスを可能にするように構成されたアクセス開口部とを含むことができる。
【００３１】
本発明の一実施形態によれば、操縦装置は、ピストンシリンダ内及び主操縦チャンバ内にそれぞれ開口する流体連通チャネルを有し、流体連通チャネルは、打撃ピストンが理論的打撃位置に入っている場合及び／または近接しているときに、打撃ピストンに設けられた周辺溝及び低圧リターン回路に恒久的に接続されたリターンチャネルを介して低圧リターン回路と連通して、ピストンシリンダ内に開口するように構成されている。
【００３２】
本発明の一実施形態によれば、操縦装置は、打撃装置の各動作サイクルにおいて、流体連通チャネルへの所定量の流体の吸入を確実にするように構成された流量調整部材を更に備える。
【００３３】
本発明の一実施形態によれば、流量調整部材は、打撃ピストンと同期して作動される。
【００３４】
本発明の一実施形態によれば、流量調整部材は、容積式ポンプによって形成される。
【００３５】
本発明の一実施形態によれば、流体連通チャネルは、打撃装置の各動作サイクルにおいて、流量調整部材から低圧リターン回路に向う流体量を方向転換するように構成され、流体量は、理論的打撃位置内及び／または該打撃位置の近傍における打撃ピストンの滞留時間に依存し、これにより工具が遭遇する地面の硬度に依存する。
【００３６】
本発明の一実施形態によれば、操縦スライドは、主操縦チャンバ内に開口する内側ボアを含み、設定装置は、操縦スライド上に形成されかつそれぞれが内側ボア内に開口する第１の端部と、操縦スライドの外面に開口する第２の端部とを有する複数の流体連通通路を含み、流体連通通路の第２の端部は、変位方向に応じて互いにずれるとともに、互いに角度的にずれている。
【００３７】
本発明の一実施形態によれば、各流体連通通路は、操縦スライドが流体連通通路に関連付けられた連通位置に位置しかつ操縦スライドが連通位置に関連付けられた角度位置を占めるときに、操縦スライドのそれぞれの連通位置に関連付けられるとともに、主操縦チャンバを接続チャネルに流体接続するように構成されている。
【００３８】
本発明の一実施形態によれば、各連通路は、操縦スライドの変位方向に対して半径方向に延在する。
【００３９】
本発明の一実施形態によれば、内側ボアは、操縦スライドの変位方向に平行に延びる。
【００４０】
本発明の一実施形態によれば、内側ボアは、案内スライドの第１の端面に開口している。
【００４１】
本発明の一実施形態によれば、少なくとも１つの流体連通通路は、操縦スライドの外側表面、好ましくは円筒形に形成され、操縦スライドの延長軸の周りに螺旋状に延在する。有利には設定装置が操縦スライドの外面に形成された１つの流体連通通路を含み、該流体連通通路は操縦スライドの延長軸の周りに螺旋状に延在する。有利には、流体連通通路が操縦スライドの外面に形成され、操縦スライドの外周の少なくとも一部にわたって延在する螺旋溝によって形成される。
【００４２】
本発明の一実施形態によれば、
操縦装置は、
操縦シリンダ内に開口しかつピストンシリンダ内に開口しかつ打撃ピストンの往復運動の少なくとも１つの部分にわたって高圧流体供給回路と連通して設定されるように構成された複数の操縦チャネルと、
操縦シリンダ内に開口し、打撃ピストンの往復運動を制御するように構成された制御チャネルと、を更に含み、操縦スライドは、制御チャネルを、操縦スライドによって占有される少なくとも一部の操縦位置において、操縦チャネルのうちの少なくとも１つと流体的に接続するように構成されている。
【００４３】
本発明の一実施形態によれば、操縦チャネルは、異なる打撃ストローク長を操縦するように構成される。
【００４４】
本発明の一実施形態によれば、各操縦溝は、ピストンシリンダ内に開口した第１の端部と、操縦シリンダ内に開口した第２の端部とを有し、操縦溝の第１の端部は、打撃ピストンの伸長方向に応じてシフトされ、操縦溝の第２の端部は操縦スライドの変位方向に応じてシフトされる。
【００４５】
本発明の一実施形態によれば、前記操縦スライドは、周囲の操縦溝を含み、前記周囲の操縦溝と前記操縦シリンダとは、前記制御チャネルが開口する環状接続チャンバを区切り、前記環状接続チャンバは、前記操縦スライドによって占有され得る少なくとも一部の操縦位置において、前記制御チャネルを前記操縦チャネルの少なくとも１つと流体的に接続するように構成される。
【００４６】
本発明の一実施形態によれば、打撃装置は、打撃ストローク及びリターンストロークに応じて、ピストンシリンダ内部の打撃ピストンの往復運動を交互に制御するように構成された制御分配器をさらに含み、制御チャネルは制御分配器に接続されている。
【００４７】
本発明の一実施形態によれば、複数の操縦位置は、打撃ピストンの短いストロークに対応する第１の操縦位置と、打撃ピストンの長いストロークに対応する第２の操縦位置と、第１及び第２の操縦位置の間に位置する複数の中間操縦位置とを含む。
【００４８】
本実施形態によれば、操縦装置は、操縦スライドを第１の操縦位置に向かって付勢するように構成された付勢手段を含む。
【００４９】
本発明の一実施形態によれば、付勢手段は、操縦スライド及び操縦シリンダによって区切られ、かつ主操縦チャンバとは反対である付勢チャンバと、高圧流体供給回路に恒久的に接続され、付勢チャンバ内に開口する供給チャネルと、を含む。
【００５０】
本発明の一実施形態によれば、付勢チャンバは、主操縦チャンバの断面よりも小さい断面を有する。
【００５１】
本発明の一実施形態によれば、操縦装置は、前記操縦スライド及び前記操縦シリンダによって区切られた二次的な操縦チャンバを含み、二次的な送受チャンバは低圧リターン回路に恒久的に接続されている。
【００５２】
本発明の一実施形態によれば、操縦スライドの第２の端面は、第２の操縦チャンバ内に配置される。
【００５３】
本発明の一実施形態によれば、打撃ピストン及びピストンシリンダは高圧流体供給回路及び第２の制御チャンバに恒久的に接続された第１の制御チャンバを区画し、制御分配器は、高圧流体供給回路及び低圧リターン回路に接続して、第２の制御チャンバを交互に設定するように構成される。
【００５４】
本発明の一実施形態によれば、各操縦チャネルは打撃ピストンの往復運動の少なくとも１つの部分にわたって、また、例えば、打撃ピストンのリターンストロークの少なくとも１つの部分にわたって、第１の制御チャンバと連通して設定されるように構成される。
【００５５】
本発明の一実施形態によれば、制御チャネルは、制御分配器の制御チャンバに接続される。
【００５６】
本発明の一実施形態によれば、打撃装置は、液圧式砕岩機である。
【００５７】
本発明の一実施形態によれば、操縦シリンダは、操縦スライドの第１の端面に対向して位置する底壁を含む。
【００５８】
本発明の一実施形態によれば、操縦シリンダは、設定部材の少なくとも１つの部分の操縦シリンダ内への導入を可能にするように構成された入口開口を含む。好都合には、設定部材が入口開口をシールする。
【００５９】
本発明の一実施形態によれば、流体連通チャネルは、操縦シリンダの底壁に開口している。
【００６０】
本発明の一実施形態によれば、操縦スライドの異なる操縦位置は、打撃ピストンの異なる打撃ストロークにそれぞれ対応する。
【００６１】
いずれにしても、本発明は、非限定的な例として、この打撃装置のいくつかの実施形態を表す添付の概略図を参照して、以下の説明を使用して、より良く理解されるのであろう。
【図面の簡単な説明】
【００６２】
【図１】図１は、本発明の第１の実施形態による打撃装置の概略縦断面図である。
【図２】図２は、異なる操縦位置における図１の打撃装置の操縦装置の縦断面図である。
【図３】図３は、異なる操縦位置における図１の打撃装置の操縦装置の縦断面図である。
【図４】図４は、異なる操縦位置における図１の打撃装置の操縦装置の縦断面図である。
【図５】図５は、異なる操縦位置における図１の打撃装置の操縦装置の縦断面図である。
【図６】図６は、図２のＶＩ−ＶＩ線による断面図である。
【図７】図７は、操縦装置の操縦スライドの角度位置の第１の設定を示す図１の打撃装置の部分図であり、第１の設定は、図２〜図５に示す操縦スライドの角度位置に対応する。
【図８】図８は、図２〜５の操縦装置の長手方向断面図であり、図２〜５で占められている角度位置とは異なる第２の角度位置にある操縦装置を示す。
【図９】図９は、操縦装置の操縦スライドの角度位置の第２の設定を示す図１の打撃装置の部分図であり、第２の設定は、図８に示す操縦スライドの角度位置に対応する。
【図１０】図１０は、図２〜５の操縦装置の長手方向断面図であり、図２〜５で占められている角度位置とは異なる第３の角度位置にある操縦装置を示す。
【図１１】図１１は、操縦装置の操縦スライドの角度位置の第３の設定を示す図１の打撃装置の部分図であり、第３の設定は、図１０に示す操縦スライドの角度位置に対応する。
【図１２】図１２は、図２〜５の操縦装置の長手方向断面図であり、図２〜５で占められている角度位置とは異なる第４の角度位置にある操縦装置を示す。
【図１３】図１３は、操縦装置の操縦スライドの角度位置の第４の設定を示す図１の打撃装置の部分図であり、第４の設定は、図１２に示す操縦スライドの角度位置に対応する。
【図１４】図１４は、本発明の第２の実施形態による打撃装置の操縦装置の縦断面図である。
【発明を実施するための形態】
【００６３】
図１〜図１３に示す打撃装置２は、ピストンシリンダ４を区画する本体３と、ピストンシリンダ４の内部を往復運動するようにスライドするように取り付けられた段付打撃ピストン５とを備えている。各動作サイクルの間、打撃ピストン５は、本体３にピストンシリンダ４と同軸に形成されたボア７内を摺動可能に取り付けられた工具６の上端に当たるようになっている。
【００６４】
打撃ピストン５及びピストンシリンダ４は、ボトムチャンバと呼ばれる第１の環状制御チャンバ８と、打撃ピストン５の上側に配置されかつより大きな部分有する、トップチャンバ若しくはスラストチャンバと呼ばれる第２の制御チャンバ９とを区切っている。
【００６５】
打撃装置２は、打撃ストローク及びリターンストロークに沿って往復運動するように、ピストンシリンダ４の内での打撃ピストン５の往復運動を制御するための制御分配器１１を更に備える。制御分配器１１は、第２の制御チャンバ９における、打撃ピストン５の打撃ストローク中の高圧流体供給回路１２への接続と、打撃ピストン５のリターンストローク中の低圧リターン回路１３への接続とを交互にセットするように構成されている。
【００６６】
より詳細には、制御分配器１１は、該制御分配器１１が低圧リターン回路１３と接続された第２制御チャンバ９をセットするように構成された第１位置（図１参照）と、該制御分配器１１が高圧流体供給回路１２と接続された第２制御チャンバ９をセットするように構成された第２位置との間で、本体３に形成されたボア内を移動可能に取り付けられている。
【００６７】
第１の制御チャンバ８は、チャネル１４を通して恒久的に高圧流体が供給される。これにより、制御分配器１１の各位置は、打撃ピストン５の打撃ストロークを生じさせ、次いで、打撃ピストン５のリターンストロークを生じさせる。有利には、チャネル１４がアキュムレータに接続され得る。
【００６８】
打撃装置２はまた、打撃ピストン５の打撃ストロークを、短い打撃ストロークと長い打撃ストロークとの間で、またその逆の間で、工具６が遭遇する地面の硬さに応じて変化させるように構成された操縦装置１５を備える。
【００６９】
操縦装置１５は、本体３内に形成された操縦シリンダ１７内に取り付けられた操縦スライド１６を備える。操縦スライド１６は、操縦シリンダ１７の底壁１７．１に対向して位置する第１の端面１６．１と、第１の端面１６．１に対向する第２の端面１６．２とを含む。有利には、操縦シリンダ１７は段付形状である。
【００７０】
操縦スライド１６は、変位方向Ｄに応じて操縦シリンダ１７内に摺動可能に取り付けられ、変位方向Ｄに応じて互いにずれた複数の操縦位置を占有するように構成されている。特に、複数の操縦位置は、打撃ピストン５の短ストロークに対応する第１の操縦位置と、打撃ピストン５の長ストロークに対応する第２の操縦位置と、第１及び第２の操縦位置の間に位置し、短ストロークと長ストロークとの間に位置する打撃ストローク長に対応する複数の中間操縦位置とを有している。
【００７１】
操縦装置１５は、異なる打撃ストローク長さを操縦するように構成された複数の操縦チャネル１８．１，１８．２，１８．３をさらに備える。操縦・チャネル１８．１，１８．２，１８．３の各々は、ピストンシリンダ４内への第１の端部開口と、操縦シリンダ１７内への第２の端部開口とを含む。操縦チャネル１８．１，１８．２，１８．３の第１の端部は、打撃ピストン５の伸長方向に応じてシフトされ、操縦チャネル１８．１，１８．２，１８．３の第２の端部は、操縦スライド１６の変位方向Ｄに応じてシフトされる。図１に示すように、操縦装置１５は、例えば、３つの操縦チャネルを含むことができる。しかしながら、操縦装置１５は、３つ未満または３つ以上の操縦チャネルを備えてもよい。
【００７２】
各操縦チャネル１８．１     ，１８．２，１８．３は、第１の制御チャンバ８と連通することにより、高圧流体供給回路１２と連通して、打撃ピストン５のリターンストロークの少なくとも１つの部分にわたって設定されるようになっている。
【００７３】
操縦装置１５はまた、制御分配器１１に流体接続され、制御分配器１１の動作を操縦するように構成された制御チャネル１９を備える。有利には、制御チャネル１９は、一方では操縦シリンダ１７内に開口し、他方ではピストンシリンダ４内に、より詳細にはピストンシリンダ４内に形成された環状溝２０内に開口する。
【００７４】
また、操縦スライド１６は、操縦スライド１６の長手軸と実質的に一致する回転軸Ａを中心として操縦シリンダ１７内で回転移動可能に取り付けられている。
【００７５】
図に示す実施形態によれば、操縦スライド１６は、周辺操縦溝２２を備える。周辺操縦溝２２及び操縦シリンダ１７は、制御チャネル１９が開口する環状連結チャンバ２３を区画する。より詳細には、接続チャンバ２３は、操縦スライド１６によって占有される操縦位置のいくつかにおいて、制御チャネル１９を操縦チャネル１８．１，１８．２，１８．３のうちの少なくとも１つと流体的に接続するように構成されている。したがって、制御チャネル１９は、打撃ピストン５のリターンストロークの少なくとも１つの部分にわたって、少なくとも１つの操縦チャネル１８．１，１８．２，１８．３を介して、高圧流体供給回路１２と連通するように設定される。
【００７６】
また、制御チャネル１９は、打撃ピストン５が理論的打撃位置（図１参照）に入るとき及び／または近接するときに、低圧リターン回路１３と連通するように構成されている。図１〜図１３に表わされる実施形態によれば、打撃装置２は、低圧リターン回路１３に恒久的に接続されかつピストンシリンダ４内に開口するチャネル２４を備え、打撃ピストン５は、該打撃ピストン５が理論的打撃位置に入ったとき及び／または近接したときに、チャネル２４と制御チャネル１９とを流体的に接続するように構成された周辺溝２５を含む。
【００７７】
より具体的には、打撃装置２は、制御チャネル１９がチャネル２４を介して低圧リターン回路１３に接続されているときには、制御チャネル１１が第１位置に向かって変位し、制御チャネル１９が高圧流体供給回路１２に接続されているときには、制御チャネル１１が第２位置に向かって変位するように構成される。
【００７８】
操縦スライド１６と操縦シリンダ１７とは、操縦スライド１６の第１の端面１６．１が位置する主操縦チャンバ２６と、操縦スライド１６の第２の端面１６．２が位置する副操縦チャンバ２７とを区切っている。二次操縦チャンバ２７は主操縦チャンバ２６と反対に位置し、チャネル２８を介して低圧リターン回路１３に恒久的に接続される。
【００７９】
操縦スライド１６と操縦シリンダ１７とは、主操縦チャンバ２６にも対向するバイアスチャンバ２９を更に区画する。バイアスチャンバ２９は、該バイアスチャンバ２９に開口した供給チャネル３１を介して、高圧流体供給回路１２に恒久的に接続されている。有利には、バイアスチャンバ２９は、主操縦チャンバ２６の断面よりも小さい断面を有するとともに、操縦スライド１６を第１の操縦位置に向かって付勢するように構成される。
【００８０】
操縦装置１５はまた、ピストンシリンダ４内及び主操縦チャンバ２６内にそれぞれ開口する流体連通チャネル３２を備える。流体連通チャネル３２は、打撃ピストン５上に設けられた周辺溝３３と、低圧リターン回路１３に恒久的に接続されかつピストンシリンダ４内に開口するリターンチャネル３４とを介して、打撃ピストン５が理論的打撃位置に入るとき及び／または近接するときに、特に打撃ピストン５が工具６上にベアリングされる（図１参照）ときに、低圧リターン回路１３と連通するように設定されるように構成される。図１〜図１３に表わされる実施形態によれば、ピストンシリンダ４内に開口する流体連通チャネル３２の端部は、打撃ピストン５がその理論的な打撃位置から離れているときに、該打撃ピストン５の外壁によって封止されるように構成される。
【００８１】
さらに操縦装置１５は、流体連通チャネル３２に流体的に接続されかつ打撃装置２の各動作サイクルにおいて、流体連通チャネル３２への所定量の流体の吸入を確実にするように構成された、容積式ポンプのような流量調整部材３５を備える。有利には、流量調整部材３５は打撃ピストン５と同期して作動される。
【００８２】
したがって、より詳細には、流体連通チャネル３２が打撃装置２の各動作サイクルにおいて、流量調整部材３５から低圧リターン回路１３に向かう流体量を方向転換するように構成され、該流体量は、打撃ピストン５の理論的打撃位置及び／またはその近傍の滞留時間、すなわち工具が遭遇する地面の硬度に依存する。
【００８３】
工具６により遭遇する地面がより硬くなるときには、理論的打撃位置及び／またはその近傍における打撃ピストン５の滞留時間も、流体連通チャネル３２及び周辺溝３３を介しての低圧リターン回路１３との流量調整部材３５の連通の持続時間も減少する。これにより、主操縦チャンバ２６に導入される流体量が増加して、操縦スライド１６の主操縦チャンバ２６の容積を増加させる方向への変位が引き起こされる。操縦スライド１６のこのような変位は、次第に、操縦チャネル１８．１と制御チャネル１９との流体絶縁を誘起し、次いで、操縦チャネル１８．１，１８．２と制御チャネル１９との流体絶縁を誘起し、最後に、操縦チャネル１８．１，１８．２，１８．３と制御チャネル１９との流体絶縁を誘起する。したがって、操縦スライド１６のこのような変位は制御チャネル１９が操縦チャネル１８．１，１８．２，１８．３から流体的に絶縁されているときに、後者がロングストロークまで打撃ピストン５の打撃ストロークを増加させるように、制御分配器１１に対する作用に変換する。
【００８４】
逆に、工具６によって遭遇する地面がより柔らかくなるときには、理論的打撃位置及び／またはその近傍における打撃ピストン５の滞留時間も、流体連通チャネル３２及び周辺溝３３を介しての低圧リターン回路１３との流量調整部材３５の連通の持続時間も増加する。これにより、主設定チャンバ２６に導入される流体量が減少して、付勢チャンバ２９内の供給圧力の作用により、主操縦チャンバ２６の容積を減少させる方向への操縦スライド１６の変位が引き起こされる。操縦スライド１６の変位は、制御チャネル１９が操縦チャネル１８．１に流体的に接続されているときに、打撃ピストン５の打撃ストロークを短いストロークまで減少させる制御分配器１１上の作用に変換する。
【００８５】
操縦装置１５は、低圧リターン回路１３に恒久的に接続され、操縦シリンダ１７内に開口する接続チャネル３６をさらに備える。特に、連結チャネル３６は、操縦スライド１６の端縁３７が操縦シリンダ１７内に開く連結チャネル３６の端部３８を露出させる（図５参照）ように、操縦スライド１６が第２の操縦位置（これは打撃ピストン５のロングストロークの制御に相当する）に達したときに、主操縦チャンバ２６と低圧リターン回路１３とを連結するように構成されている。
【００８６】
打撃装置２は、打撃ピストン５の打撃ストロークの変動範囲を設定するように構成された設定装置をさらに備える。
【００８７】
設定装置は、操縦シリンダ１７に操縦スライド１６の角度位置を設定するように構成された設定部材４１を備える。図１〜図１３に示される実施形態によれば、設定部材４１は、操縦スライド１６の長手方向軸と実質的に一致する回転軸Ｂの周りでユーザによって回転駆動されるように意図された設定部４１．１を含む。有利には、設定部４１．１は、打撃装置２の外側からアクセス可能である。
【００８８】
設定部材４１は、操縦スライド１６と共に回転するように固定されかつ設定部４１．１がユーザによって回転駆動されるときに操縦スライド１６を操縦シリンダ１７内で回転駆動するように構成された駆動部４１．２も含む。図１〜図１３に表わす実施形態によれば、操縦スライド１６は、操縦スライド１６の第２の端面１６．２に開口した軸方向取り付けボア４２を含み、駆動部４１．２は、軸方向取り付けボア４２内に少なくとも部分的に受け入れられている。
【００８９】
より詳細には、駆動部４１．２は、設定部材４１に対する操縦スライド１６の並進変位を可能にするように構成される。この目的のために、軸方向取り付けボア４２は有利には非円形断面を有し、駆動部４１．２は、軸方向取り付けボア４２の断面と一致する断面を有する。例えば、駆動部４１．２は、その外面に形成された平坦部分を有することができる（図６参照）。
【００９０】
図１〜図１３に示す実施形態によれば、操縦スライド１６はまた、操縦スライド１６の第１の端面１６．１に開口することで、主操縦チャンバ２６に開口する内側ボア４３を含み、設定装置は、操縦スライド１６上に形成された複数の流体連通通路４４．１，４４．２，４４．３をさらに含む。流体連通通路４４．１，４４．２，４４．３の各々は、内側ボア４３に開口する第１の端部と、案内スライド１６の円筒形外面４５に開口する第２の端部とを含む。流体連通通路４４．１，４４．２，４４．３の第２の端部は、一方では変位方向Ｄに応じて互いにシフトし、他方では互いに角度的にシフトする。例えば、流体連通通路４４．１，４４．２，４４．３の各々は、操縦スライド１６の変位方向Ｄに対して半径方向に延在してもよく、内側ボア４３は、例えば、操縦スライド１６の第１の端面１６．１内に開口して、操縦スライド１６の変位方向Ｄに平行に延在してもよい。
【００９１】
図８、１０、１２に示すように、操縦スライド１６は、変位方向Ｄに応じて互いにずれかつそれぞれが操縦スライド１６のそれぞれの角度位置と関連する複数の連通位置を占有するように構成され、流体連通通路４４．１，４４．２，４４．３のそれぞれは、操縦スライドの各通信位置に関連するとともに、操縦スライド１６が、前記流体連通通路に関連した通信位置に位置しかつ前記通信位置に関連した角度位置を占有するときに、主操縦チャンバ２６を接続チャネル３６と流体的に接続するように構成されている。つまり、流体連通通路４４．１，４４．２，４４．３のそれぞれは、操縦スライド１６の第１の端面１６．１が操縦シリンダ１７の底壁１７．１から所定の変位距離Ｄｄｐに位置するときに、主操縦チャンバ２６と接続チャネル３６とを流体的に接続するように構成されている。所定の変位距離Ｄｄｐの値は、操縦スライド１６が占める角度位置に応じて変化する。
【００９２】
加えて、設定装置は、設定マーク４６を含む。設定マーク４６は、例えば、参照符号Ｅ，Ａ，Ｂ，Ｃによってそれぞれ識別される４つの設定マークであって、本体３上に直接または部分的にもうけられていて、本体３上に設定部材４１を保持するように構成された保持リング４７のように、本体３上に固定されている。各設定マーク４６は、打撃ピストン５の打撃ストロークの変動範囲のそれぞれの値に対応している。有利には、設定マーク４６は、設定部材４１の設定部４１．１の周りに分配される。
【００９３】
また、設定装置は、設定部材４１に設けられかつ操縦スライド１６が占める角度位置に応じて設定マーク４６の一方に対向して配置されかつ設定部材４１によって設定されるように構成された、矢印のような読みマーク４８を含み、変動範囲のどの値が操縦スライド１６の設定角度位置に対応するかを識別することができるようになっている。
【００９４】
図１〜図１３に示された実施形態によれば、参照符号Ｅによって識別された設定マーク４６は、流体連通通路４４．１，４４．２，４４．３のいずれもが接続チャネル３６に流体的に接続され得ない、操縦スライド１６の角度位置に対応する。すなわち、読取マーク４８が基準Ｅによって識別される設定マーク４６に対向して位置するように設定部材４１を設定することにより、図５に示される第２の操縦位置まで操縦スライド１６の並進変位が可能となるので、基準Ｅによって識別される設定マーク４６は、打撃ピストン５の打撃ストロークの変動範囲の最大値に相当する。
【００９５】
図１〜図１３に表わされる実施形態によれば、基準Ａによって識別される設定マーク４６は、流体連通通路４４．１が主操縦チャンバ２６を接続チャネル３６に流体的に接続するように構成される操縦スライド１６の角度位置に対応し、これにより、操縦スライド１６が図８に表わされる連通位置に達し、操縦チャネル１８．１が制御チャネル１９に流体的に接続されているときに、変位方向Ｄに応じて操縦スライド１６の変位を停止させる。したがって、基準Ａによって識別される設定マーク４６は、操縦スライド１６のこの角度位置において、打撃ピストン５が短いストロークのみをカバーすることができるので、打撃ピストン５の打撃ストロークの変動範囲の最小値に対応する。
【００９６】
図１〜図１３に表わされる実施形態によれば、基準Ｂによって識別される設定マーク４６は、流体連通通路４４．２が主操縦チャンバ２６を接続チャネル３６に流体的に接続するように構成され操縦スライド１６の角度位置に対応し、これにより、操縦スライド１６が図１０に表わされる連通位置に達し、操縦チャネル１８．２が制御チャネル１９に流体的に接続されているとき、変位方向Ｄに応じて操縦スライド１６の変位を停止する。したがって、基準Ｂによって識別される設定マーク４６は、打撃ピストン５の打撃ストロークの変動範囲の第１の中間値に対応する。の打撃スライド１６の角度位置において、打撃ピストン５は短いストロークよりも長い打撃ストローク、特に、短いストロークから、操縦チャネル１８．２によって操縦される打撃ストロークまでの範囲をカバーすることができるからである。
【００９７】
図１〜図１３に表わされる実施形態によれば、基準Ｃによって識別される設定マーク４６は、流体連通通路４４．３が主操縦チャンバ２６を接続チャネル３６に流体的に接続するように構成され操縦スライド１６の角度位置に対応するし、これにより、操縦スライド１６が図１２に表わされる連通位置に達し、操縦チャネル１８．３が制御チャネル１９に流体的に接続されているとき、変位方向Ｄに応じて操縦スライド１６の変位を停止させる。したがって、基準Ｃによって識別される設定マークは、第１の中間値よりも高い打撃ピストン５の打撃ストロークの変動範囲の第２の中間値に対応する。打撃ピストン５がこの打撃スライド１６の角度位置において、基準Ｂによって識別される設定マーク４６によって定義される打撃ストロークよりもさらに長い打撃ストロークをカバーすることができ、特に、短いストロークから、操縦チャネル１８．３によって操縦される打撃ストロークまでの範囲であるからである。
【００９８】
したがって、設定部材４１の位置の単純な角度設定を通して、ユーザは、打撃ピストン５の打撃ストロークの変動範囲を選択することができ、したがって、打撃周波数及び打撃ピストン５の打撃エネルギーを調整することができる。したがって、ユーザは、打撃ピストン５の打撃ストロークの自動操縦を作動させることによって、打撃装置２の作動を最適化することができるが、打撃ストロークの変動範囲を予め確立された値に制限しながらもよい。
【００９９】
図に表されていない本発明の別の実施形態によれば、設定装置は３つよりも多い設定マーク４６及び３つよりも多い流体連通通路を含み、それにより、打撃ピストン５の打撃ストロークの変動範囲について、より多数の可能な値を選択することができる。
【０１００】
図１４は、本発明の第２の実施形態による打撃装置２の操縦装置１５及び設定装置を示す。このような実施形態の設定装置は本質的に、案内スライド１６の円筒形外面上に形成され、螺旋状に延在する１つの単一の流体連通通路４４を含む点で、図１〜図１３に示される設定装置とは異なる。有利には、流体連通通路４４が案内スライド１６の外周の一部にわたって延びる螺旋溝によって形成される。
【０１０１】
このような設定装置の構成により、設定部材４１を用いてセットされた操縦スライド１６の角度位置に応じた打撃ピストン５の打撃ストロークの変動範囲の漸進的かつ連続的な設定を得ることができる。実際、流体連通通路４４の構成は、後者の角度位置に応じて、主操縦チャンバ２６を操縦スライド１６の異なる変位レベルで接続チャネル３６と接続することを可能にする。
【０１０２】
言うまでもなく、本発明は例として上述したこの打撃装置の唯一の実施形態に限定されず、反対に、そのすべての変形形態を包含する。
【図１】
2021513465.tif 000003
【図２】
2021513465.tif 000004
【図３】
2021513465.tif 000005
【図４】
2021513465.tif 000006
【図５】
2021513465.tif 000007
【図６】
2021513465.tif 000008
【図７】
2021513465.tif 000009
【図８】
2021513465.tif 000010
【図９】
2021513465.tif 000011
【図１０】
2021513465.tif 000012
【図１１】
2021513465.tif 000013
【図１２】
2021513465.tif 000014
【図１３】
2021513465.tif 000015
【図１４】
2021513465.tif 000016
【国際調査報告】
2021513465.tif 000017
2021513465.tif 000018
2021513465.tif 000019
2021513465.tif 000020
2021513465.tif 000021